【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
所与の時間期間の特定のほんの一部を超える持続時間を有する送信のために競合ベースアクセスを用いるワイヤレス通信システム中での通信の方法であって、
制御シグナリングのために２つ以上のリソースエレメントをサブフレームから選択することと、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントであり、制御シグナリングのための前記２つ以上のリソースエレメントは、制御シグナリングが前記所与の時間期間の前記特定のほんの一部未満の間に送信されるように選択される、
リソース割振りメッセージをアクセス端末に送信することと、ここにおいて、前記リソース割振りメッセージは、前記選択された２つ以上のリソースエレメントが制御シグナリングのために割り振られることを示す、
を備える方法。
【請求項２】
前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、請求項１に記載の方法。
【請求項３】
前記第１のリソースエレメントは、第１のリソースブロックに関連付けられており、前記第２のリソースエレメントは、前記第１のリソースブロックとは異なる第２のリソースブロックに関連付けられている、請求項２に記載の方法。
【請求項４】
前記第１のリソースブロックは、制御シグナリングのために選択されない少なくとも１つの非選択リソースブロックだけ前記第２のリソースブロックから分離されている、請求項３に記載の方法。
【請求項５】
前記第１のリソースブロックおよび前記第２のリソースブロックの各々は、７つの連続したシンボル期間と１２個の隣接トーンとを含むロングタームエボリューション（ＬＴＥ）リソースブロックである、請求項３に記載の方法。
【請求項６】
前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントを含まない、請求項１に記載の方法。
【請求項７】
前記アクセス端末から、前記選択された２つ以上のリソースエレメント上でアップリンク制御シグナリングを受信すること
をさらに備える、請求項１に記載の方法。
【請求項８】
前記アップリンク制御シグナリングを前記受信することに応答して、
ダウンリンク制御シグナリングのために、後続のサブフレームから２つ以上の後続のリソースエレメントを選択することと、ここにおいて、前記選択された２つ以上の後続のリソースエレメントは、後続のシンボル期間に含まれるコンカレントなリソースエレメントである、
前記選択された２つ以上の後続のリソースエレメントを使用してダウンリンク制御シグナリングを送信することと
をさらに備える、請求項７に記載の方法。
【請求項９】
前記ダウンリンク制御シグナリングは、確認応答（ＡＣＫ）を含む、請求項８に記載の方法。
【請求項１０】
制御シグナリングのために１つまたは複数の連続したリソースエレメントをサブフレームから選択することと、ここにおいて、前記１つまたは複数の連続したリソースエレメントは、前記２つ以上のリソースエレメントが含まれる前記シンボル期間に連続する１つまたは複数の連続したシンボル期間に含まれる、
前記リソース割振りメッセージは、前記選択された２つ以上のリソースエレメントおよび前記連続したリソースエレメントが制御シグナリングのために割り振られることを示す、
をさらに備える、請求項１に記載の方法。
【請求項１１】
所与の時間期間の特定のほんの一部を超える持続時間を有する送信のために競合ベースアクセスを用いるワイヤレス通信システムにおいて使用するための装置であって、
制御シグナリングのために２つ以上のリソースエレメントをサブフレームから選択するための手段と、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントであり、前記装置は、制御シグナリングのための前記２つ以上のリソースエレメントを、制御シグナリングが前記所与の時間期間の前記特定のほんの一部未満の間に送信されるように選択するように構成される、
リソース割振りメッセージをアクセス端末に送信するための手段と、ここにおいて、前記リソース割振りメッセージは、前記選択された２つ以上のリソースエレメントが制御シグナリングのために割り振られることを示す、
を備える装置。
【請求項１２】
所与の時間期間の特定のほんの一部を超える持続時間を有する送信のために競合ベースアクセスを用いるワイヤレス通信システム中での通信の方法であって、
アクセスポイントからリソース割振りメッセージを受信することと、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、制御シグナリングが前記所与の時間期間の前記特定のほんの一部未満の間に送信されるような、同じシンボル期間に含まれるコンカレントなリソースエレメントである、
前記示された２つ以上のリソースエレメント上でアップリンク制御シグナリングを送信することと
を備える方法。
【請求項１３】
前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントを含まない、請求項１２に記載の方法。
【請求項１４】
所与の時間期間の特定のほんの一部を超える持続時間を有する送信のために競合ベースアクセスを用いるワイヤレス通信システムにおいて使用するための装置であって、
アクセスポイントからリソース割振りメッセージを受信するための手段と、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、制御シグナリングが前記所与の時間期間の前記特定のほんの一部未満の間に送信されるような、同じシンボル期間に含まれるコンカレントなリソースエレメントである、
前記示された２つ以上のリソースエレメント上でアップリンク制御シグナリングを送信するための手段と
を備える装置。
【請求項１５】
ワイヤレス通信デバイスの１つまたは複数のプロセッサによって実行されると、前記ワイヤレス通信デバイスに、請求項１〜請求項１０、請求項１２および請求項１３のうちのいずれか一項の方法を実行させる少なくとも１つの命令を備えるコンピュータ読取可能な媒体。
【手続補正２】
【補正対象書類名】明細書
【補正対象項目名】００９６
【補正方法】変更
【補正の内容】
【００９６】
[00103]前述の開示は実例となるさまざまな態様を示すが、添付の特許請求の範囲によって定義される範囲から逸脱することなく、例示された例に対してさまざまな変更および修正がなされ得ることは留意されるべきである。本開示は、具体的に例示された例だけに限定されるわけではない。たとえば、別途述べられていない限り、本明細書で説明された本開示の態様にしたがった方法の請求項の機能、ステップ、および／またはアクションは、特定の順序で実行される必要はない。さらに、特定の態様は、単数形で説明または特許請求され得るが、単数形への限定が明記されていない限り、複数形が考慮される。
以下に本願の出願当初の特許請求の範囲に記載された発明を付記する。
[Ｃ１]  通信の方法であって、
制御シグナリングのために２つ以上のリソースエレメントをサブフレームから選択することと、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、
リソース割振りメッセージをアクセス端末に送信することと、ここにおいて、前記リソース割振りメッセージは、前記選択された２つ以上のリソースエレメントが制御シグナリングのために割り振られることを示す、
を備える方法。
[Ｃ２]  前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、Ｃ１に記載の方法。
[Ｃ３]  前記第１のリソースエレメントは、第１のリソースブロックに関連付けられており、前記第２のリソースエレメントは、前記第１のリソースブロックとは異なる第２のリソースブロックに関連付けられている、Ｃ２に記載の方法。
[Ｃ４]  前記第１のリソースブロックは、制御シグナリングのために選択されない少なくとも１つの非選択リソースブロックだけ前記第２のリソースブロックから分離されている、Ｃ３に記載の方法。
[Ｃ５]  前記第１のリソースブロックおよび前記第２のリソースブロックの各々は、７つの連続したシンボル期間と１２個の隣接トーンとを含むロングタームエボリューション（ＬＴＥ）リソースブロックである、Ｃ３に記載の方法。
[Ｃ６]  前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、Ｃ１に記載の方法。
[Ｃ７]  前記アクセス端末から、前記選択された２つ以上のリソースエレメント上でアップリンク制御シグナリングを受信すること
をさらに備える、Ｃ１に記載の方法。
[Ｃ８]  前記アップリンク制御シグナリングを前記受信することに応答して、
ダウンリンク制御シグナリングのために、後続のサブフレームから２つ以上の後続のリソースエレメントを選択することと、ここにおいて、前記選択された２つ以上の後続のリソースエレメントは、後続のシンボル期間に含まれるコンカレントなリソースエレメントである、
前記選択された２つ以上の後続のリソースエレメントを使用してダウンリンク制御シグナリングを送信することと
をさらに備える、Ｃ７に記載の方法。
[Ｃ９]  前記ダウンリンク制御シグナリングは、確認応答（ＡＣＫ）を含む、Ｃ８に記載の方法。
[Ｃ１０]  制御シグナリングのために１つまたは複数の連続したリソースエレメントをサブフレームから選択することと、ここにおいて、前記１つまたは複数の連続したリソースエレメントは、前記２つ以上のリソースエレメントが含まれる前記シンボル期間に比べて、１つまたは複数の連続したシンボル期間に含まれる、
前記リソース割振りメッセージは、前記選択された２つ以上のリソースエレメントおよび前記連続したリソースエレメントが制御シグナリングのために割り振られることを示す、
をさらに備える、Ｃ１に記載の方法。
[Ｃ１１]  装置であって、
少なくとも１つのプロセッサと、
前記少なくとも１つのプロセッサに結合された少なくとも１つのメモリと、前記少なくとも１つのプロセッサおよび前記少なくとも１つのメモリは、
制御シグナリングのために２つ以上のリソースエレメントをサブフレームから選択するように構成される、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、
トランシーバと、前記トランシーバは、
リソース割振りメッセージをアクセス端末に送信するように構成される、ここにおいて、前記リソース割振りメッセージは、前記選択された２つ以上のリソースエレメントが制御シグナリングのために割り振られることを示す、
を備える、装置。
[Ｃ１２]  前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、Ｃ１１に記載の装置。
[Ｃ１３]  前記第１のリソースエレメントは、第１のリソースブロックに関連付けられており、前記第２のリソースエレメントは、前記第１のリソースブロックとは異なる第２のリソースブロックに関連付けられている、Ｃ１２に記載の装置。
[Ｃ１４]  前記第１のリソースブロックは、制御シグナリングのために選択されない少なくとも１つの非選択リソースブロックだけ前記第２のリソースブロックから離れている、Ｃ１３に記載の装置。
[Ｃ１５]  前記第１のリソースブロックおよび前記第２のリソースブロックの各々は、７つの連続したシンボル期間と１２個の隣接トーンとを含むロングタームエボリューション（ＬＴＥ）リソースブロックである、Ｃ１３に記載の装置。
[Ｃ１６]  前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、Ｃ１１に記載の装置。
[Ｃ１７]  前記トランシーバは、
前記アクセス端末から、前記選択された２つ以上のリソースエレメント上でアップリンク制御シグナリングを受信する  ようにさらに構成される、Ｃ１１に記載の装置。
[Ｃ１８]  前記アップリンク制御シグナリングを前記受信することに応答して、前記少なくとも１つのプロセッサおよび前記少なくとも１つのメモリは、
ダウンリンク制御シグナリングのために、後続のサブフレームから２つ以上の後続のリソースエレメントを選択することと、ここにおいて、前記選択された２つ以上の後続のリソースエレメントは、後続のシンボル期間に含まれるコンカレントなリソースエレメントである、
前記選択された２つ以上の後続のリソースエレメントを使用してダウンリンク制御シグナリングを送信することと
を行うようにさらに構成される、Ｃ１７に記載の装置。
[Ｃ１９]  前記ダウンリンク制御シグナリングは、確認応答（ＡＣＫ）を含む、Ｃ１８に記載の装置。
[Ｃ２０]  前記少なくとも１つのプロセッサおよび少なくとも１つのメモリは、制御シグナリングのために１つまたは複数の連続したリソースエレメントをサブフレームから選択するようにさらに構成され、ここにおいて、前記１つまたは複数の連続したリソースエレメントは、前記２つ以上のリソースエレメントが含まれる前記シンボル期間に比べて、１つまたは複数の連続したシンボル期間に含まれる、
前記リソース割振りメッセージは、前記選択された２つ以上のリソースエレメントおよび前記連続したリソースエレメントが制御シグナリングのために割り振られることを示す、
Ｃ１１に記載の装置。
[Ｃ２１]  装置であって、
制御シグナリングのために２つ以上のリソースエレメントをサブフレームから選択するための手段と、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、
リソース割振りメッセージをアクセス端末に送信するための手段と、ここにおいて、前記リソース割振りメッセージは、前記選択された２つ以上のリソースエレメントが制御シグナリングのために割り振られることを示す、
を備える装置。
[Ｃ２２]  動作を実行することをコンピュータまたはプロセッサに行わせる少なくとも１つの命令を備えるコンピュータ読取可能な媒体であって、
制御シグナリングのために２つ以上のリソースエレメントをサブフレームから選択するためのコードと、ここにおいて、前記サブフレームは、複数のシンボル期間を含み、各シンボル期間は、複数のリソースエレメントを含み、前記選択された２つ以上のリソースエレメントは、同じシンボル期間に含まれるコンカレントなリソースエレメントである、  リソース割振りメッセージをアクセス端末に送信するためのコードと、ここにおいて、前記リソース割振りメッセージは、前記選択された２つ以上のリソースエレメントが制御シグナリングのために割り振られることを示す、
を備えるコンピュータ読取可能な媒体。
[Ｃ２３]  通信の方法であって、
アクセスポイントからリソース割振りメッセージを受信することと、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
前記示された２つ以上のリソースエレメント上でアップリンク制御シグナリングを送信することと
を備える方法。
[Ｃ２４]  前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、Ｃ２３に記載の方法。
[Ｃ２５]  前記第１のリソースエレメントは、第１のリソースブロックに関連付けられており、前記第２のリソースエレメントは、前記第１のリソースブロックとは異なる第２のリソースブロックに関連付けられている、Ｃ２４に記載の方法。
[Ｃ２６]  前記第１のリソースブロックは、制御シグナリングのために選択されない少なくとも１つの非選択リソースブロックだけ前記第２のリソースブロックから離れている、Ｃ２５に記載の方法。
[Ｃ２７]  前記第１のリソースブロックおよび前記第２のリソースブロックの各々は、７つの連続したシンボル期間と１２個の隣接トーンとを含むロングタームエボリューション（ＬＴＥ）リソースブロックである、Ｃ２５に記載の方法。
[Ｃ２８]  前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、Ｃ２３に記載の方法。
[Ｃ２９]  前記アクセスポイントから、前記選択された２つ以上のリソースエレメント上でダウンリンク制御シグナリングを受信すること
をさらに備える、Ｃ２３に記載の方法。
[Ｃ３０]  前記ダウンリンク制御シグナリングは、確認応答（ＡＣＫ）を含む、Ｃ２９に記載の方法。
[Ｃ３１]  装置であって、
アクセスポイントからリソース割振りメッセージを受信するための手段と、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
前記示された２つ以上のリソースエレメント上でアップリンク制御シグナリングを送信するための手段と
を備える装置。
[Ｃ３２]  動作を実行することをコンピュータまたはプロセッサに行わせる少なくとも１つの命令を備えるコンピュータ読取可能な媒体であって、
アクセスポイントからリソース割振りメッセージを受信するためのコードと、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
前記示された２つ以上のリソースエレメント上でアップリンク制御シグナリングを送信するためのコードと
を備えるコンピュータ読取可能な媒体。
[Ｃ３３]  装置であって、
少なくとも１つのプロセッサと、
前記少なくとも１つのプロセッサに結合された少なくとも１つのメモリと、前記少なくとも１つのプロセッサおよび少なくとも１つのメモリは、アクセスポイントからリソース割振りメッセージを受信するように構成され、ここにおいて、前記リソース割振りメッセージは、サブフレームからの２つ以上のリソースエレメントが制御シグナリングのために選択されることを示し、前記サブフレームは、複数のシンボル期間を含み、各シンボル期間は、複数のリソースエレメントを含み、前記示された２つ以上のリソースエレメントは、同じシンボル期間に含まれるコンカレントなリソースエレメントである、
トランシーバと、前記トランシーバは、前記示された２つ以上のリソースエレメント上でアップリンク制御シグナリングを送信するように構成される、
を備える装置。
[Ｃ３４]
前記複数のリソースエレメントの各リソースエレメントは、複数のトーンのうちの１つのトーンに関連付けられており、前記選択された２つ以上のリソースエレメントは、前記複数のトーンのうちの第１のトーンに関連付けられた第１のリソースエレメントと、前記第１のトーンとは異なる第２のトーンに関連付けられた第２のリソースエレメントとを含む、Ｃ３３に記載の装置。
[Ｃ３５]  前記第１のリソースエレメントは、第１のリソースブロックに関連付けられており、前記第２のリソースエレメントは、前記第１のリソースブロックとは異なる第２のリソースブロックに関連付けられている、Ｃ３４に記載の装置。
[Ｃ３６]  前記第１のリソースブロックは、制御シグナリングのために選択されない少なくとも１つの非選択リソースブロックだけ前記第２のリソースブロックから離れている、Ｃ３５に記載の装置。
[Ｃ３７]  前記第１のリソースブロックおよび前記第２のリソースブロックの各々は、７つの連続したシンボル期間と１２個の隣接トーンとを含むロングタームエボリューション（ＬＴＥ）リソースブロックである、Ｃ３５に記載の装置。
[Ｃ３８]  前記選択された２つ以上のリソースエレメントに関連付けられた前記同じシンボル期間は、無線フレーム内のシンボル期間の総数の５パーセント未満を含み、残りのシンボル期間は、制御シグナリングのために割り振られるリソースエレメントをいずれも含まない、Ｃ３３に記載の装置。
[Ｃ３９]  前記アクセスポイントから、前記選択された２つ以上のリソースエレメント上でダウンリンク制御シグナリングを受信すること
をさらに備える、Ｃ３３に記載の装置。
[Ｃ４０]  前記ダウンリンク制御シグナリングは、確認応答（ＡＣＫ）を含む、Ｃ３９に記載の装置。